【手続補正書】
【提出日】平成31年1月7日(2019.1.7)
【手続補正１】
【補正対象書類名】明細書
【補正対象項目名】００８５
【補正方法】変更
【補正の内容】
【００８５】
本発明は、一定の開示された実施形態を参照して記載されているが、開示された実施形態は、例示の目的のために提示されるものであり、限定するものではなく、本発明の他の実施形態が可能である。当業者であれば、本発明の精神から逸脱することなく、多様な変更、適合、及び変形を実施し得ることを理解するだろう。
［構成１］
骨プレートであって、
中心長手方向軸を画定する長さ及び前記中心長手方向軸に対して横方向の前記骨プレートの範囲を画定する幅を有する本体であって、前記本体が上表面及び前記上表面と対向する骨接表面を含み、前記骨接表面が第１の表面を含む、本体と、
前記上表面から前記骨接表面へと前記本体を通して延在する第１の固定孔と、
前記第１の固定孔に隣接する前記骨接表面上の位置で前記第１の表面からある距離で延出するパッドと、を備える、骨プレート。
［構成２］
前記本体の幅が、前記第１の固定孔から遠隔の位置での前記本体の幅と比較して、前記第１の固定孔を有する前記中心長手方向軸に沿った位置においてより大きい、構成１に記載の骨プレート。
［構成３］
前記第１の固定孔に隣接する前記骨接表面上の前記位置が、前記第１の固定孔の周囲と前記本体の幅との間に画定される、構成１または２に記載の骨プレート。
［構成４］
少なくとも部分的に前記第１の固定孔内の取付部材をさらに備える、構成１〜３のいずれかに記載の骨プレート。
［構成５］
前記第１の固定孔に隣接する前記中心長手方向軸の少なくとも一部分に沿って延在する前記骨接表面上の溝であって、前記パッド未満で前記第１の表面から離間した表面を画定する、溝をさらに備える、構成１〜４のいずれかに記載の骨プレート。
［構成６］
前記骨接表面上の前記第１の固定孔の周囲に沿ったすべての位置が、前記溝または前記パッドと接合している、構成５に記載の骨プレート。
［構成７］
前記中心長手方向軸に沿って前記第１の固定孔から離間した第２の固定孔であって、曲げ応力を集中させるように構成された領域によって前記第１の固定孔から離間している、第２の固定孔と、
前記第２の固定孔に隣接する前記骨接表面上の位置で前記第１の表面からある距離で延出するパッドと、をさらに備える、構成１〜６のいずれかに記載の骨プレート。
［構成８］
前記本体の幅が、前記第２の固定孔を有する前記中心長手方向軸に沿った位置で増加している、構成７に記載の骨プレート。
［構成９］
前記第２の固定孔に隣接する前記中心長手方向軸の少なくとも一部分に沿って延在する前記骨接表面上の溝であって、前記第２の固定孔に隣接する前記溝が、前記第１の固定孔に隣接する前記骨接表面上の溝と前記中心長手方向軸に沿って整列している、溝をさらに備える、構成７または８に記載の骨プレート。
［構成１０］
前記中心長手方向軸に沿って前記第２の固定孔から離間した第３の固定孔と、
前記第２の固定孔と前記第３の固定孔との間で前記中心長手方向軸に沿って延在するブリッジと、をさらに備える、構成７〜９のいずれか一項に記載の骨プレート。
［構成１１］
前記第２及び前記第３の固定孔を有する前記中心長手方向軸に沿った位置での前記本体の幅が、前記ブリッジに沿った前記本体の幅より大きい、構成１０に記載の骨プレート。
［構成１２］
前記ブリッジ上の位置で前記第１の表面からある距離で延出する第１のパッドをさらに備える、構成１０または１１に記載の骨プレート。
［構成１３］
前記ブリッジ上の位置で前記第１の表面からある距離で延出し、かつ前記本体の前記中心長手方向軸に沿って前記第１のパッドから離間した第２のパッドをさらに備える、構成１２に記載の骨プレート。
［構成１４］
前記第１のパッド及び前記第２のパッドが、曲げ応力を集中させるように構成された領域によって各々境界付けられている、構成１２に記載の骨プレート。
［構成１５］
前記パッドが、曲げ応力を集中させるように構成された領域に隣接している、構成１〜１４のいずれかに記載の骨プレート。
［構成１６］
骨プレートを固定する方法であって、
前記骨プレートの骨接表面を骨と接触して位置付けることと、
第１の固定孔に隣接する前記骨接表面上の位置で前記骨接表面の第１の表面からある距離で延出するパッドと前記骨を接触させることと、
前記骨プレートのブリッジを標的面積に渡って位置付けることと、
前記第１の固定孔を通して、かつ前記骨へと第１の締結具を挿入することと、を含む、方法。
［構成１７］
前記骨プレートが、中心長手方向軸に沿った曲げ及び前記中心長手方向軸の周りの捻れを有する螺旋状の湾曲を有し、
前記骨プレートの前記骨接表面を位置付けることが、
前記骨プレートの遠位領域の骨接表面を、前記遠位領域を第１の平面内に位置付けるように、第１の骨部分の第１の表面上に位置付けることと、
前記骨プレートの近位領域の骨接表面を、前記骨プレートの前記中心長手方向軸に沿った、かつその周りの前記第１の平面からオフセットされた第２の平面内に前記近位領域を位置付けるように、第２の骨部分の第２の表面上に位置付けることと、を含み、
前記第１の締結具を前記第１の固定孔を通して挿入することが、前記第１の締結具を前記第１の固定孔を通して前記遠位領域内に挿入することと、第２の締結具を第２の固定孔を通して前記近位領域内にさらに挿入することと、を含む、構成１６に記載の方法。
［構成１８］
前記骨プレートの前記ブリッジを前記標的面積に渡って位置付けることが、骨折部位に渡って前記ブリッジを位置付けることを含む、構成１６または１７に記載の方法。
［構成１９］
前記骨プレートの前記ブリッジを前記標的面積に渡って位置付けることが、前記ブリッジを骨不整列部位に渡って位置付けることを含む、構成１６〜１８のいずれか一項に記載の方法。
［構成２０］
前記骨プレートの前記ブリッジを前記標的面積に渡って位置付けることが、前記第１の固定孔に隣接する前記骨プレートの一部分の幅未満の幅を有する前記骨プレートの一部分を前記標的面積に渡って位置付けることを含む、構成１６〜１９のいずれか一項に記載の方法。
［構成２１］
前記第１の固定孔から離間した第２の固定孔に隣接する前記骨接表面上の位置で前記第１の表面からある距離で延出するパッドと前記骨を接触させることと、
前記第２の固定孔を通して、かつ前記骨へと第２の締結具を挿入することと、をさらに含む、構成１６〜２０のいずれか一項に記載の方法。
［構成２２］
前記ブリッジ上の位置で前記第１の表面からある距離で延出する第１のパッドと前記骨を接触させることをさらに含む、構成１６〜２１のいずれか一項に記載の方法。
［構成２３］
前記第１のパッドから離間した前記ブリッジ上の位置で前記第１の表面からある距離で延出する第２のパッドと前記骨を接触させることをさらに含む、構成２２に記載の方法。
［構成２４］
前記第１の固定孔に隣接する前記パッドが前記骨に接触するように前記骨プレートを曲げることをさらに含む、構成１６〜２３のいずれか一項に記載の方法。
［構成２５］
少なくとも部分的に前記第１の固定孔内の取付部材を構成することをさらに含む、構成１６〜２４のいずれか一項に記載の方法。
［構成２６］
骨プレートであって、
本体の近位領域から前記本体の遠位領域へと延在する中心長手方向軸を画定する長さと、前記中心長手方向軸に対して横方向の前記骨プレートの範囲を画定する幅とを有する本体であって、上表面及び前記上表面と対向する骨接表面を含む、本体と、
前記中心長手方向軸に沿った前記本体の曲げ及び前記中心長手方向軸の周りの前記本体の捻れの両方を備える前記本体の前記近位領域と遠位領域との間の螺旋状の湾曲であって、前記螺旋状の湾曲が第１の平面から第２の平面への遷移を提供するように、前記遠位領域が前記第１の平面内にあり、かつ前記近位領域が前記第１の平面からオフセットされた前記第２の平面内にあり、それらの平面の両方が前記長手方向軸に沿い、かつその周りにある、螺旋状の湾曲と、
前記近位領域内の第１の固定孔及び前記遠位領域内の第２の固定孔であって、前記第１の固定孔及び前記第２の固定孔が、前記本体を通して前記上表面から前記骨接表面へと各々延在する、第１の固定孔及び第２の固定孔と、を備える、骨プレート。
［構成２７］
前記中心長手方向軸の周りの前記本体の前記捻れが、２５°〜１００°の範囲にある、構成２６に記載の骨プレート。
［構成２８］
前記中心長手方向軸に沿った前記本体の前記曲げが、４５°〜１３５°の範囲にある、構成２６または２７に記載の骨プレート。
［構成２９］
前記第１の固定孔に隣接する前記骨接表面上の位置で第１の表面からある距離で延出するパッドをさらに備える、構成２６〜２８のいずれか一項に記載の骨プレート。
［構成３０］
前記本体が、展性材料を備える、構成２６〜２９のいずれか一項に記載の骨プレート。
［構成３１］
前記螺旋状の湾曲が、予備形成されている、構成２６〜３０のいずれか一項に記載の骨プレート。
［構成３２］
前記骨プレートが、キット内に含まれている、構成２６〜３１のいずれか一項に記載の骨プレート。
［構成３３］
前記近位領域内の第３の固定孔及び前記遠位領域内の第４の固定孔をさらに含み、前記第３の固定孔及び前記第４の固定孔が、前記本体を通して前記上表面から前記骨接表面へと各々延在している、請求項２６〜３２のいずれか一項に記載の骨プレート。
【手続補正２】
【補正対象書類名】特許請求の範囲
【補正対象項目名】全文
【補正方法】変更
【補正の内容】
【特許請求の範囲】
【請求項１】
骨プレートであって、
中心長手方向軸を画定する長さ及び前記中心長手方向軸に対して横方向の前記骨プレートの範囲を画定する幅を有する本体であって、前記本体が上表面及び前記上表面と対向する骨接表面を含み、前記骨接表面が第１の表面を含む、本体と、
前記上表面から前記骨接表面へと前記本体を通して延在する第１の固定孔と、
前記第１の固定孔に隣接する前記骨接表面上の位置で前記第１の表面からある距離で延出するパッドと、を備える、骨プレート。
【請求項２】
前記本体の幅が、前記第１の固定孔から遠隔の位置での前記本体の幅と比較して、前記第１の固定孔を有する前記中心長手方向軸に沿った位置においてより大きい、請求項１に記載の骨プレート。
【請求項３】
前記第１の固定孔に隣接する前記骨接表面上の前記位置が、前記第１の固定孔の周囲と前記本体の幅との間に画定される、請求項１または２に記載の骨プレート。
【請求項４】
少なくとも部分的に前記第１の固定孔内の取付部材をさらに備える、請求項１〜３のいずれかに記載の骨プレート。
【請求項５】
前記第１の固定孔に隣接する前記中心長手方向軸の少なくとも一部分に沿って延在する前記骨接表面上の溝であって、前記パッド未満で前記第１の表面から離間した表面を画定する、溝をさらに備える、請求項１〜４のいずれかに記載の骨プレート。
【請求項６】
前記骨接表面上の前記第１の固定孔の周囲に沿ったすべての位置が、前記溝または前記パッドと接合している、請求項５に記載の骨プレート。
【請求項７】
前記中心長手方向軸に沿って前記第１の固定孔から離間した第２の固定孔であって、曲げ応力を集中させるように構成された領域によって前記第１の固定孔から離間している、第２の固定孔と、
前記第２の固定孔に隣接する前記骨接表面上の位置で前記第１の表面からある距離で延出するパッドと、をさらに備える、請求項１〜６のいずれかに記載の骨プレート。
【請求項８】
前記本体の幅が、前記第２の固定孔を有する前記中心長手方向軸に沿った位置で増加している、請求項７に記載の骨プレート。
【請求項９】
前記第２の固定孔に隣接する前記中心長手方向軸の少なくとも一部分に沿って延在する前記骨接表面上の溝であって、前記第２の固定孔に隣接する前記溝が、前記第１の固定孔に隣接する前記骨接表面上の溝と前記中心長手方向軸に沿って整列している、溝をさらに備える、請求項７または８に記載の骨プレート。
【請求項１０】
前記中心長手方向軸に沿って前記第２の固定孔から離間した第３の固定孔と、
前記第２の固定孔と前記第３の固定孔との間で前記中心長手方向軸に沿って延在するブリッジと、をさらに備える、請求項７〜９のいずれか一項に記載の骨プレート。
【請求項１１】
前記第２及び前記第３の固定孔を有する前記中心長手方向軸に沿った位置での前記本体の幅が、前記ブリッジに沿った前記本体の幅より大きい、請求項１０に記載の骨プレート。
【請求項１２】
前記ブリッジ上の位置で前記第１の表面からある距離で延出する第１のパッドをさらに備える、請求項１０または１１に記載の骨プレート。
【請求項１３】
前記ブリッジ上の位置で前記第１の表面からある距離で延出し、かつ前記本体の前記中心長手方向軸に沿って前記第１のパッドから離間した第２のパッドをさらに備える、請求項１２に記載の骨プレート。
【請求項１４】
前記第１のパッド及び前記第２のパッドが、曲げ応力を集中させるように構成された領域によって各々境界付けられている、請求項１２に記載の骨プレート。
【請求項１５】
前記パッドが、曲げ応力を集中させるように構成された領域に隣接している、請求項１〜１４のいずれかに記載の骨プレート。
【請求項１６】
骨プレートであって、
本体の近位領域から前記本体の遠位領域へと延在する中心長手方向軸を画定する長さと、前記中心長手方向軸に対して横方向の前記骨プレートの範囲を画定する幅とを有する本体であって、上表面及び前記上表面と対向する骨接表面を含む、本体と、
前記中心長手方向軸に沿った前記本体の曲げ及び前記中心長手方向軸の周りの前記本体の捻れの両方を備える前記本体の前記近位領域と遠位領域との間の螺旋状の湾曲であって、前記螺旋状の湾曲が第１の平面から第２の平面への遷移を提供するように、前記遠位領域が前記第１の平面内にあり、かつ前記近位領域が前記第１の平面からオフセットされた前記第２の平面内にあり、それらの平面の両方が前記長手方向軸に沿い、かつその周りにある、螺旋状の湾曲と、
前記近位領域内の第１の固定孔及び前記遠位領域内の第２の固定孔であって、前記第１の固定孔及び前記第２の固定孔が、前記本体を通して前記上表面から前記骨接表面へと各々延在する、第１の固定孔及び第２の固定孔と、を備える、骨プレート。
【請求項１７】
前記中心長手方向軸の周りの前記本体の前記捻れが、２５°〜１００°の範囲にある、請求項１６に記載の骨プレート。
【請求項１８】
前記中心長手方向軸に沿った前記本体の前記曲げが、４５°〜１３５°の範囲にある、請求項１６または１７に記載の骨プレート。
【請求項１９】
前記第１の固定孔に隣接する前記骨接表面上の位置で第１の表面からある距離で延出するパッドをさらに備える、請求項１６〜１８のいずれか一項に記載の骨プレート。
【請求項２０】
前記本体が、展性材料を備える、請求項１６〜１９のいずれか一項に記載の骨プレート。
【請求項２１】
前記螺旋状の湾曲が、予備形成されている、請求項１６〜２０のいずれか一項に記載の骨プレート。
【請求項２２】
前記骨プレートが、キット内に含まれている、請求項１６〜２１のいずれか一項に記載の骨プレート。
【請求項２３】
前記近位領域内の第３の固定孔及び前記遠位領域内の第４の固定孔をさらに含み、前記第３の固定孔及び前記第４の固定孔が、前記本体を通して前記上表面から前記骨接表面へと各々延在している、請求項１６〜２２のいずれか一項に記載の骨プレート。